(57)【要約】【課題】  ユーザが「定型サイズ間の拡大／縮小率（最適倍率）」を予め正確に把握していなくとも、最適倍率を容易に設定することができる出力設定装置を提供する。【解決手段】  出力設定装置１０は、最適倍率を予め記憶しておく最適倍率記憶部１４、「画像形成装置の入力部２１から入力された原稿サイズ及び拡大／縮小率」と「定型サイズ選択部１３で選択された定型サイズ」との関係が、「最適倍率記憶部１４に記憶されている最適倍率」と一致するかどうかを判定する一致判定部１５、及び表示部２２に定型サイズ選択部で選択された定型サイズを「出力用紙サイズ」として表示させる表示制御部１６を備えており、表示制御部１６は一致判定部１５で一致すると判定された場合にのみ、画像形成装置の表示部２２に「出力用紙サイズ」を表示させるように構成されている。【選択図】      図１
2006078661.tif 000002
【特許請求の範囲】
【請求項１】
原稿を拡大又は縮小して印刷する際の拡大／縮小率及び出力用紙サイズを設定するための装置であって、
外部から入力された原稿サイズ及び拡大／縮小率から出力サイズを算出する出力サイズ算出部、
様々な定型サイズを予め記憶しておく定型サイズ記憶部、
前記定型サイズ記憶部に記憶されている定型サイズ群を参照して、前記出力サイズ算出部で算出された出力サイズに近い大きさの定型サイズを選択する定型サイズ選択部、
外部の表示手段に、前記定型サイズ選択部で選択された定型サイズを出力用紙サイズとして表示させる表示制御部を備えていることを特徴とする出力設定装置。
【請求項２】
定型サイズ間の拡大／縮小率を予め記憶しておく最適倍率記憶部、及び
前記最適倍率記憶部に記憶されている定型サイズ間の拡大／縮小率を参照して、外部から入力された原稿サイズ及び拡大／縮小率と前記定型サイズ選択部で選択された定型サイズとの関係が、前記最適倍率記憶部に記憶されている定型サイズ間の拡大／縮小率と一致するかどうかを判定する一致判定部をさらに備え、
前記表示制御部は、前記一致判定部で一致すると判定された場合にのみ、前記表示手段に前記定型サイズ選択部で選択された定型サイズを出力用紙サイズとして表示させることを特徴とする請求項１に記載の出力設定装置。
【請求項３】
前記画像形成装置の給紙トレイに、前記定型サイズ選択部で選択された定型サイズの出力用紙が格納されているかどうかを確認する用紙確認部をさらに備え、
前記表示制御部は、前記用紙確認部での確認結果に基づいて、前記表示手段に出力用紙の有無を表示させることを特徴とする請求項１に記載の出力設定装置。
【請求項４】
前記画像形成装置の給紙トレイに、前記定型サイズ選択部で選択された定型サイズの出力用紙が格納されているかどうかを確認する用紙確認部をさらに備え、
前記表示制御部は、前記一致判定部で一致すると判定された場合にのみ、前記用紙確認部での確認結果に基づいて、前記表示手段に出力用紙の有無を表示させることを特徴とする請求項２に記載の出力設定装置。
【請求項５】
外部から入力された拡大／縮小率を順々に増加又は減少させる拡大／縮小率変更部をさらに備え、
前記表示制御部は、前記表示手段に、前記拡大／縮小率変更部で変更された拡大／縮小率を順々に表示させることを特徴とする請求項１から請求項４のいずれか一項に記載の出力設定装置。
【請求項６】
前記最適倍率記憶部に記憶されている定型サイズ間の拡大／縮小率を参照して、外部から入力された原稿サイズと前記定型サイズ選択部で選択された定型サイズとの最適倍率を取得する最適倍率取得部、及び
前記最適倍率取得部で取得された最適倍率と外部から入力された拡大／縮小率との差分を算出する差分算出部をさらに備え、
前記表示制御部は、前記表示手段に、前記差分算出部で算出された差分を表示させることを特徴とする請求項１から請求項５のいずれか一項に記載の出力設定装置。
【請求項７】
請求項１から請求項６のいずれか一項に記載の出力設定装置を備えた画像形成装置。
【発明の詳細な説明】
【技術分野】
【０００１】
本発明は、原稿を拡大又は縮小して印刷する際の拡大／縮小率及び出力用紙サイズを設定するための出力処理装置、及びその出力処理装置を備えた画像形成装置に関するものである。
【背景技術】
【０００２】
一般の画像形成装置（複写機、プリンタ、ファクシミリ、複合機）は、ユーザが所望する拡大／縮小率に原稿を拡大又は縮小して印刷する機能を有している。そして、これらの画像形成装置（例えば複写機）では、画像形成装置の表示部に、ユーザが設定した、「原稿サイズ」、「拡大／縮小率」、「出力用紙サイズ」を表示するように構成されている（図１２の従来表示例１〜４参照）。
【０００３】
この種の画像形成装置としては、「拡大／縮小率」に適した「出力用紙サイズ」を自動的に選択する機能を有する印刷装置がある（例えば、特許文献１）。なお、「出力用紙サイズ」は、Ａ３、Ｂ４、Ａ４などの定型サイズである。また、出力用紙が選択された後に、その出力用紙を格納した給紙トレイを検索する機能を有する印刷装置もある（例えば、特許文献２）。
【特許文献１】特開平８−９１４４号公報（図４，５）
【特許文献２】特開２０００−１５１８９５号公報（図９，１０）
【発明の開示】
【発明が解決しようとする課題】
【０００４】
従来の画像形成装置では、原稿を拡大又は縮小して出力用紙に印刷する際の最適倍率は、ユーザが設定する必要があった。なお、最適倍率とは、ある定型サイズの原稿を拡大又は縮小して他の定型サイズの出力用紙に印刷する際に、出力データ（原稿データを拡大又は縮小したデータ）が出力用紙に対して最適な大きさになる倍率のことである。拡大／縮小率が最適倍率となるように設定しないと、出力データが出力用紙に対して小さすぎて、印刷された出力データの周辺に無駄な余白が生じるおそれや、出力データが出力用紙に対して大きすぎて、印刷された出力データが出力用紙からはみ出したりするおそれがある。
【０００５】
そして、拡大／縮小率が最適倍率となるように設定するためには、ユーザは、図１３に示すような「定型サイズ間の拡大／縮小率（最適倍率）」を、予め正確に把握していなければならない。例えば、原稿サイズがＡ５で、出力用紙サイズがＢ５である場合は、拡大率は１２２％に設定する必要がある（従来表示例４参照）。拡大／縮小率を１１０％に設定した場合（従来表示例２参照）や、拡大／縮小率を１３０％に設定した場合（従来表示例３参照）は、拡大率は最適な値ではない。
【０００６】
つまり、従来は、原稿の拡大／縮小印刷時に、ユーザが拡大／縮小率を設定する際は、ユーザが図１３に示すような「定型サイズ間の拡大／縮小率」を予め正確に把握していなくては、最適倍率を設定することができないという問題があった。
【０００７】
そこで、本発明は、ユーザが「定型サイズ間の拡大／縮小率（最適倍率）」を予め正確に把握していなくとも、最適倍率を容易に設定することができる出力設定装置を提供することを目的とする。また、本発明は、前記出力設定装置を備えた画像形成装置を提供することを目的とする。
【課題を解決するための手段】
【０００８】
課題を解決するため、本発明に係る出力設定装置は、外部から入力された原稿サイズ及び拡大／縮小率から出力サイズを算出する出力サイズ算出部、様々な定型サイズを予め記憶しておく定型サイズ記憶部、定型サイズ記憶部に記憶されている定型サイズ群を参照して、出力サイズ算出部で算出された出力サイズに近い大きさの定型サイズを選択する定型サイズ選択部、外部の表示手段に、定型サイズ選択部で選択された定型サイズを出力用紙サイズとして表示させる表示制御部、定型サイズ間の拡大／縮小率を予め記憶しておく最適倍率記憶部、及び最適倍率記憶部に記憶されている定型サイズ間の拡大／縮小率を参照して、「外部から入力された原稿サイズ及び拡大／縮小率」と「定型サイズ選択部で選択された定型サイズ」との関係が、「最適倍率記憶部に記憶されている定型サイズ間の拡大／縮小率」と一致するかどうかを判定する一致判定部を備えており、表示制御部は、一致判定部で一致すると判定された場合にのみ、前記表示手段に出力用紙サイズを表示させるように構成されている。
【０００９】
このように構成された出力設定装置によれば、ユーザが設定した拡大／縮小率が最適倍率と一致した場合にのみ、前記表示手段に「出力用紙サイズ」が表示されるので、ユーザは、前記表示手段における「出力用紙サイズ」の表示の有無を視認することにより、自分が設定した拡大／縮小率が最適倍率であるかどうかを容易に知ることができる。したがって、ユーザは「定型サイズ間の拡大／縮小率（最適倍率）」を予め正確に把握していなくても、最適倍率を容易に設定することができる。
【００１０】
また、本発明に係る出力設定装置は、画像形成装置の給紙トレイに、定型サイズ選択部で選択された定型サイズの出力用紙が格納されているかどうかを確認する用紙確認部をさらに備えており、前記表示制御部は、前記一致判定部で一致すると判定された場合にのみ、用紙確認部での確認結果に基づいて、前記表示手段に出力用紙の有無を表示させるように構成されている。
【００１１】
このように構成すると、ユーザは、前記表示手段における「用紙トレイ」の表示の有無を視認することにより、画像形成装置の給紙トレイに出力用紙サイズの出力用紙が格納されているかどうかを容易に知ることができる。
【００１２】
また、本発明に係る出力設定装置は、外部から入力された拡大／縮小率を順々に増加又は減少させる拡大／縮小率変更部をさらに備えており、前記表示制御部は、前記表示手段に、拡大／縮小率変更部で変更された拡大／縮小率を順々に表示させるように構成されている。
【００１３】
このように構成すると、ユーザは、任意の拡大／縮小率を一度設定するだけで、最適倍率を自動的に設定することができる。したがって、ユーザが「定型サイズ間の拡大／縮小率（最適倍率）」を予め正確に把握していなくても、最適倍率を容易に設定することができる。
【００１４】
また、本発明に係る出力設定装置は、最適倍率記憶部に記憶されている定型サイズ間の拡大／縮小率を参照して、「外部から入力された原稿サイズ」と「定型サイズ選択部で選択された定型サイズ」との最適倍率を取得する最適倍率取得部、及び「最適倍率取得部で取得された最適倍率」と「外部から入力された拡大／縮小率」との差分を算出する差分算出部をさらに備えており、前記表示制御部は、前記表示手段に、差分算出部で算出された差分を表示させるように構成されている。
【００１５】
このように構成すると、ユーザは、前記表示手段に表示された「差分」を視認することにより、自分が設定した拡大／縮小率と最適倍率との差を容易に知ることができる。したがって、最適倍率を設定するのが容易になる。
【００１６】
そして、本発明に係る画像形成装置（原稿を拡大又は縮小して印刷する機能を有する画像形成装置）は、前記した出力設定装置を備えている。この画像形成装置によれば、前記出力設定装置で設定された最適倍率で、出力データ（原稿データを拡大又は縮小したデータ）を出力用紙に印刷することができる。
【発明の効果】
【００１７】
本発明によれば、ユーザが「定型サイズ間の拡大／縮小率（最適倍率）」を予め正確に把握していなくとも、最適倍率を容易に設定することができる出力設定装置を提供することができる。また、本発明によれば、前記出力設定装置を備えた画像形成装置を提供することができる。
【発明を実施するための最良の形態】
【００１８】
以下、本発明の実施形態について、適宜図面を参照しながら詳細に説明する。本発明に係る出力設定装置は、原稿を拡大又は縮小して印刷する際の拡大／縮小率及び出力用紙サイズを設定するための装置である。この出力設定装置は、原稿を拡大又は縮小して印刷する機能を有する画像形成装置に用いられる。なお、本実施形態では、画像形成装置としては複写機を想定している。
【００１９】
図１は、本発明に係る出力設定装置１０の概略構成を示すブロック図である。図１に示すように、出力設定装置１０は、出力サイズ算出部１１、定型サイズ記憶部１２、定型サイズ選択部１３、最適倍率記憶部１４、一致判定部１５、及び表示制御部１６を備えている。なお、図示しないが、出力設定装置１０は、各部１１〜１６の動作を制御するための制御部を備えている。
【００２０】
出力サイズ算出部１１、一致判定部１５、及び表示制御部１６は、画像形成装置２０（図１０参照）の入力部２１と接続しており、表示制御部１６は、画像形成装置２０の表示部２２と接続している。出力サイズ算出部１１、一致判定部１５、及び表示制御部１６には、入力部２１から原稿サイズと拡大／縮小率が入力される。原稿サイズと拡大／縮小率は、ユーザが入力部２１（図１１参照）を操作して設定する。原稿サイズは定型サイズとする。なお、定型サイズとは、例えば、Ａ３、Ｂ４、Ａ４、Ｂ５、Ａ５などの、通常の印刷によく使用される規格サイズのことである。また、拡大／縮小率は、「％」で設定される。
【００２１】
出力サイズ算出部１１は、画像形成装置２０の入力部２１から入力された原稿サイズと拡大／縮小率に基づいて、出力サイズを算出する。出力サイズとは、出力データ（原稿データを拡大又は縮小したデータ）を出力用紙に印刷する際の大きさのことである。出力サイズ算出部１１で算出された出力サイズは、定型サイズ選択部１３に送られる。
【００２２】
定型サイズ記憶部１２は、様々な定型サイズを予め記憶しておく。例えば、「Ｂ５は、１８２ｍｍ×２５７ｍｍの大きさである」ということや、「Ａ４は、２１０ｍｍ×２９７ｍｍの大きさである」ということを記憶しておく。
【００２３】
定型サイズ選択部１３は、定型サイズ記憶部１２に記憶されている定型サイズ群を参照して、出力サイズ算出部１１で算出された出力サイズに最も近い大きさの定型サイズを選択する。なお、定型サイズは、印刷時に出力データが出力用紙からはみ出さないように、出力サイズより大きいものを選択する。定型サイズ選択部１３で選択された定型サイズは、一致判定部１５と表示制御部１６に送られる。
【００２４】
最適倍率記憶部１４は、図１３に示すような、「定型サイズ間の拡大／縮小率」を予め記憶しておく。例えば、「Ｂ５は、Ａ５を１２２％拡大したサイズである」ということや、「Ａ４は、Ａ５を１４１％拡大したサイズである」ということを記憶しておく。
【００２５】
「定型サイズ間の拡大／縮小率」とは、ある定型サイズの原稿を拡大又は縮小して他の定型サイズの出力用紙に印刷する際に、出力データが出力用紙に対して最適な大きさになる倍率のことである。以降、この「定型サイズ間の拡大／縮小率」を、「最適倍率」と呼ぶ。例えば、Ａ５の原稿を拡大してＢ５の出力用紙に印刷する際の最適倍率は１２２％である。なお、拡大する場合は、拡大率が最適倍率よりも小さいと、印刷された出力データの周辺に無駄な余白が生じる。また、拡大率が最適倍率よりも大きいと、印刷された出力データが出力用紙からはみ出すおそれがある。
【００２６】
一致判定部１５は、最適倍率記憶部１４に記憶されている「定型サイズ間の拡大／縮小率」、即ち最適倍率を参照して、「入力部２１から入力された原稿サイズ及び拡大／縮小率」と「定型サイズ選択部１３で選択された定型サイズ」との関係が、「最適倍率記憶部１４に記憶されている最適倍率」と一致するかどうかを判定する。
【００２７】
具体的には、原稿サイズがＡ５で拡大率が１２２％であり、定型サイズ選択部１３で選択された定型サイズがＢ５である場合は、「原稿サイズに対する定型サイズの拡大率」が「最適倍率記憶部１４に記憶されている最適倍率」と一致するので、「一致する」と判定される。なお、前述したように、Ａ５の原稿を拡大してＢ５の出力用紙に印刷する際の最適倍率は１２２％である。そして、拡大率が１２２％以外の場合は、「一致しない」と判定される。一致判定部１５での判定結果は、表示制御部１６に送られる。
【００２８】
表示制御部１６は、表示事項及び表示内容を指示する表示命令を作成し、その表示命令を画像形成装置２０の表示部２２に入力することにより、表示部２２における表示を制御する。具体的には、表示部２２における、「出力用紙サイズ」の表示の有無を制御する。なお、「原稿サイズ」と「拡大／縮小率」は、常時表示させるようにする。
【００２９】
この表示制御部１６は、一致判定部１５で「一致する」と判定された場合にのみ、表示部２２に、定型サイズ選択部１３で選択された定型サイズを「出力用紙サイズ」として表示させる。例えば、定型サイズ選択部１３で選択された定型サイズがＢ５であれば、「出力用紙サイズ」は「Ｂ５」と表示させる。
【００３０】
図２は、表示部２２での表示例（表示例１〜４）を示す図である。図２を参照して、表示部２２での表示例について説明する。ここでは、Ａ５の原稿を拡大してＢ５の出力用紙に印刷する場合を想定している。なお、前述したように、Ａ５の原稿を拡大してＢ５の出力用紙に印刷する際の最適倍率は１２２％である。
【００３１】
図２に示すように、表示例１〜４では、「原稿サイズ」、「拡大／縮小率」が常時表示されている。そして、表示例１〜３では「出力用紙サイズ」は表示されていないが、表示例４では「出力用紙サイズ」が「Ｂ５」と表示されている。これは、表示例１〜３では、拡大率は１０５％（表示例１）、１１０％（表示例２）」、１２０％（表示例３）であり、最適倍率と一致していないが、表示例４では、拡大率は１２２％であり、最適倍率と一致するためである。
【００３２】
このように、入力部２１で設定された拡大／縮小率が最適倍率と一致した場合にのみ、表示部２２に「出力用紙サイズ」が表示される。したがって、ユーザは、表示部２２における「出力用紙サイズ」の表示の有無を視認することにより、自分が設定した拡大／縮小率が最適倍率であるかどうかを容易に知ることができる。つまり、ユーザは、図１３に示すような「定型サイズ間の拡大／縮小率（最適倍率）」を予め正確に把握していなくても、最適倍率を容易に設定することができる。
【００３３】
なお、拡大／縮小率が最適倍率と一致した際は、一致したことを強調するために、「拡大／縮小率」の表示は、その最適倍率で固定する（数値を固定する）とよい。或いは、「拡大／縮小率」の表示を点灯又は変色させて表示させるとよい。これらのことにより、ユーザは、「拡大／縮小率」の表示からも、自分が設定した拡大／縮小率が最適倍率と一致したことを容易に視識することができる。
【００３４】
次に、以上のように構成された出力設定装置１０の動作について、図３に示すフローチャートを参照しつつ説明する。
【００３５】
まず、ステップＳ１では、ユーザが画像形成装置２０の入力部２１で設定した原稿サイズと拡大／縮小率が、出力設定装置１０の出力サイズ算出部１１、一致判定部１５、及び表示制御部１６に入力される。続くステップＳ２では、出力サイズ算出部１１が、入力部２１から入力された原稿サイズ及び拡大／縮小率から出力サイズを算出する。
【００３６】
次のステップＳ３では、定型サイズ選択部１３が、定型サイズ記憶部１２に記憶されている定型サイズ群を参照して、出力サイズ算出部１１で算出された出力サイズに最も近い大きさの定型サイズを選択する。
【００３７】
続くステップＳ４では、一致判定部１５が、最適倍率記憶部１４に記憶されている最適倍率を参照して、「入力部２１から入力された原稿サイズ及び拡大／縮小率」と「定型サイズ選択部１３で選択された定型サイズ」との関係が、「最適倍率記憶部１４に記憶されている最適倍率」と一致するかどうかを判定する。ここで、「一致しない」と判定された場合は、ステップＳ５に進む。逆に「一致する」と判定された場合は、ステップＳ６に進む。
【００３８】
ステップＳ５では、表示制御部１６は、表示部２２に、「原稿サイズ」と「拡大／縮小率」を表示させる（図２の表示例１〜３参照）。その後、ステップＳ７に進む。
【００３９】
ステップＳ６では、表示制御部１６は、表示部２２に、「原稿サイズ」と「拡大／縮小率」、「出力用紙サイズ」を表示させる（図２の表示例４参照）。その後、ステップＳ７に進む。
【００４０】
ステップＳ７では、ユーザは表示部２２での表示を見て、出力設定を終了するかどうかを判断する。判断結果は、ユーザが入力部２１を操作することにより出力設定装置１０の図示しない制御部に入力する。ここで、ユーザが表示部２２に表示された出力設定に満足し、出力設定を「終了する」と判断した場合は、処理を終了する。逆に、ユーザが他の出力設定を望み、出力設定を「終了しない」と判断した場合は、ステップＳ８に進む。
【００４１】
ステップＳ８では、ユーザは入力部２１を操作することにより、拡大／縮小率を新たに設定する。新たに設定された拡大／縮小率は、一致判定部１５に送られる。その後、先のステップＳ４に戻り、ステップＳ４以降の処理を再び行う。
【００４２】
このように、ステップＳ４以降の処理を繰り返すことにより、ユーザは最適倍率を設定することができる。そして、最適倍率が設定された後は、ユーザが入力部２１を操作して、印刷の実行命令を画像形成装置２０の制御部２７（図１０参照）に入力することにより、出力データ（原稿データを拡大又は縮小したデータ）を出力用紙に印刷する。
【００４３】
次に、以上のように構成された出力設定装置１０の変形例１〜３について、図４〜図９を参照しつつ説明する。なお、図４、図６、及び図８のブロック図では、図１に示した出力設定装置１０と同一の部分には同一の符号を付してその説明を省略する。また、図４、図６、及び図８のブロック図では、変形例の説明に必要な部分だけを図示しており、出力設定装置１０の一部の図示を省略している。
（変形例１）
出力設定装置１０の変形例１である出力設定装置１００について、図４及び図５を参照しつつ説明する。図４は、出力設定装置１００の概略構成を示すブロック図であり、図５は、表示部２２での表示例（表示例５，６）を示す図である。
【００４４】
図４に示す出力設定装置１００は、用紙確認部１７をさらに備えているという点が、図１に示した出力設定装置１０と異なる。用紙確認部１７は、画像形成装置２０の給紙トレイ２８と接続しており、給紙トレイ２８に定型サイズ選択部１３で選択された定型サイズの出力用紙が格納されているかどうかの確認を行う。用紙確認部１７での確認結果は、表示制御部１６に送られる。
【００４５】
そして、表示制御部１６は、用紙確認部１７から入力された確認結果に基づいて、画像形成装置２０の表示部２２に出力用紙の有無を表示させる。出力用紙の有無を表示は、一致判定部１５（図１参照）で「一致する」と判定された場合にのみ行うようにする。即ち、出力用紙の有無を表示は、ユーザが設定した「拡大／縮小率」が最適倍率と一致した場合にのみ行うようにする。
【００４６】
図５を参照して具体的に説明すると、確認結果が「格納されている」であった場合は、表示部２２に、定型サイズ選択部１３で選択された定型サイズを「用紙トレイ」として表示させる。例えば、定型サイズ選択部１３で選択された定型サイズがＢ５であれば、表示例５に示すように、「用紙トレイ」は「Ｂ５」と表示させる。逆に、確認結果が「格納されていない」であった場合は、表示例６に示すように、表示部２２に、「用紙トレイ」は「＊＊＊」と表示させる。
【００４７】
このように、表示部２２に出力用紙の有無を表示するように構成すると、ユーザは、表示部２２における「用紙トレイ」の表示の有無を視認することにより、画像形成装置の給紙トレイ２８に出力用紙サイズの出力用紙が格納されているかどうかを容易に知ることができる。
（変形例２）
次に、出力設定装置１０の変形例２である出力設定装置２００について、図６及び図７を参照しつつ説明する。図６は、出力設定装置２００の概略構成を示すブロック図であり、図７は、表示部２２での表示例（表示例７〜９）を示す図である。
【００４８】
図６に示す出力設定装置２００は、拡大／縮小率変更部１８をさらに備えているという点が、図１に示した出力設定装置１０と異なる。拡大／縮小率変更部１８は、画像形成装置２０の入力部２１と接続しており、入力部２１から入力された拡大／縮小率を順々に増加又は減少させる。拡大／縮小率の変更は、最適倍率記憶部１４に記憶されている最適倍率を参照して、最適倍率になるまで続けられる。拡大／縮小率変更部１８で変更された拡大／縮小率は、表示制御部１６に送られる。
【００４９】
そして、表示制御部１６は、画像形成装置２０の表示部２２に、拡大／縮小率変更部１８で変更された拡大／縮小率を順々に表示させる。図７を参照して具体的に説明すると、ユーザが入力部２１で拡大／縮小率を１２０％と設定した場合、表示部２２に表示される「拡大／縮小率」は、１２０％（表示例７）、１２１％（表示例８）、１２２％（表示例９）と、順々に自動的に変更される。「拡大／縮小率」の変更は、最適倍率である１２２％（表示例９）で終了する。
【００５０】
このように、表示部２２に表示される「拡大／縮小率」を順々に自動的に変更するように構成すると、ユーザは、入力部２１を操作して任意の拡大／縮小率を一度設定するだけで、最適倍率を自動的に設定することができる。なお、ユーザがさらに大きい又は小さい最適倍率を所望する際は、入力部２１を操作して出力設定装置１０の図示しない制御部に命令を入力することにより、拡大／縮小率の変更は続行される。
（変形例３）
次に、出力設定装置１０の変形例３である出力設定装置３００について、図８及び図９を参照しつつ説明する。図８は、出力設定装置３００の概略構成を示すブロック図であり、図９は、表示部２２での表示例（表示例１０〜１２）を示す図である。
【００５１】
図８に示す出力設定装置３００は、最適倍率取得部１９と差分算出部２０をさらに備えているという点が、図１に示した出力設定装置１０と異なる。最適倍率取得部１９と差分算出部２０は、画像形成装置２０の入力部２１と接続している。
【００５２】
最適倍率取得部１９は、最適倍率記憶部１４に記憶されている最適倍率を参照して、「入力部２１から入力された原稿サイズ」と「定型サイズ選択部１３で選択された定型サイズ」との最適倍率を取得する。例えば、原稿サイズがＡ５であり、定型サイズ選択部１３で選択された定型サイズがＢ５である場合は、最適倍率は１２２％である。最適倍率取得部１９で取得された最適倍率は、差分算出部２０に送られる。
【００５３】
差分算出部２０は、「最適倍率取得部１９で取得された最適倍率」と「入力部２１から入力された拡大／縮小率」との差分を算出する。差分算出部２０で算出された差分は、表示制御部１６に送られる。
【００５４】
そして、表示制御部１６は、表示部２２に、差分算出部２０で算出された差分を表示させる。図９を参照して具体的に説明すると、ユーザが入力部２１で拡大／縮小率を１２０％と設定した場合、表示部２２には、「差分」は「２％」と表示される（表示例１０）。同様に、拡大／縮小率を１２１％と設定した場合、「差分」は「１％」と表示され（表示例１１）、拡大／縮小率を１２２％と設定した場合、「差分」は「０％」と表示される（表示例１２）。
【００５５】
このように、表示部２２に、差分を表示するように構成すると、ユーザは、表示部２２に表示された「差分」を視認することにより、自分が設定した拡大／縮小率と最適倍率との差を容易に知ることができる。したがって、最適倍率を設定するのが容易になる。
【００５６】
以上のように構成された出力設定装置１０は、図１０に示すような、原稿を拡大又は縮小して印刷する機能を有する画像形成装置２０に適用される。この画像形成装置２０は、ユーザが各種設定及び命令を入力する入力部２１、原稿サイズや出力設定（拡大／縮小率、出力用紙サイズ）などの各種情報を表示する表示部２２、原稿をスキャンして読み取って原稿データ（画像又は文字）を取得する読取部２３、読取部２３で取得された原稿データを記憶する記憶部２４、記憶部２４に記憶された原稿データを画像処理（拡大／縮小など）して出力データを作成する画像処理部２５、画像処理部２５で作成された出力データを出力用紙に印刷する印刷部２６、及び各部２１〜２６の動作を制御するための制御部２７を備えている。なお、図４に示した給紙トレイ２８は、印刷部２６に含まれる。
【００５７】
また、入力部２１は、図１１に示すように、キーボード、テンキー（数字キー）、十字キー、スタートキーなどを有しており、原稿サイズと拡大／縮小率の設定は十字キーにより行われ、各種実行命令の入力はスタートキーにより行われる。また、表示部２２は、入力部２１の近傍に配置されており、入力部２１と共に入力／表示パネルを構成している。なお、ユーザが入力部２１の十字キーを押下して拡大／縮小率を設定する際は、例えば十字キーを200msec押し続ける毎に拡大／縮小率が１％変化するようにするとよい。
【００５８】
このように構成された画像形成装置２０は、画像処理部２５が出力設定装置１０で設定された拡大／縮小率に基づいて出力データを作成した後、印刷部２６がその出力データを出力設定装置１０で設定された出力用紙サイズの出力用紙に印刷することができる。このとき、拡大／縮小率は、出力設定装置１０により最適倍率に設定されるので、出力データは出力用紙に最適な大きさで印刷される。なお、印刷の実行は、ユーザが表示部２２に表示された出力設定（拡大／縮小率、出力用紙サイズ）を確認した後、入力部２１を操作して（スタートキーを押下して）印刷の実行命令を画像形成装置２０の制御部２７に入力することにより行う。
【００５９】
以上、本発明の実施の形態について説明したが、本発明は前述した実施形態のみに限定されるものではなく、本発明の技術的思想に基づく限りにおいて、種々の変形が可能である。例えば、本実施形態では、原稿を拡大して印刷する場合について説明したが、原稿を縮小して印刷する場合も同様である。また、本実施形態では、原稿サイズは、ユーザが画像形成装置２０の入力部２１を操作することにより設定したが、画像形成装置２０が原稿をスキャンして読み取って原稿データを取得した際に、原稿サイズを自動的に取得するようにしてもよい。
【００６０】
また、最適倍率が設定された後は、印刷の実行命令が画像形成装置２０の制御部２７に自動的に入力されるようにしてもよい。例えば、図８及び図９に示した出力設定装置３００で、「差分」がゼロになった際に、出力設定装置３００から画像形成装置２０の制御部２７に印刷命令が自動的に入力されるようにしてもよい。
【図面の簡単な説明】
【００６１】
【図１】本発明に係る出力設定装置１０の概略構成を示すブロック図である。
【図２】表示部２２での表示例（表示例１〜４）を示す図である。
【図３】出力設定装置１０の動作を説明するためのフローチャートである。
【図４】出力設定装置１０の変形例１である変出力設定装置１００の概略構成を示すブロック図である。
【図５】変形例１のときの表示部２２での表示例（表示例５，６）を示す図である。
【図６】出力設定装置１０の変形例２である出力設定装置２００の概略構成を示すブロック図である。
【図７】変形例２のときの表示部２２での表示例（表示例７〜９）を示す図である。
【図８】出力設定装置１０の変形例３である出力設定装置３００の概略構成を示すブロック図である。
【図９】変形例３のときの表示部２２での表示例（表示例１０〜１２）を示す図である。
【図１０】画像形成装置２０の概略構成を示すブロック図である。
【図１１】画像形成装置２０の入力部２１と表示部２２を示す図である。
【図１２】従来の表示例（従来表示例１〜４）を示す図である。
【図１３】「定型サイズ間の拡大／縮小率（最適倍率）」を示す表である。
【符号の説明】
【００６２】
１０    出力設定装置
１１    出力サイズ算出部
１２    定型サイズ記憶部
１３    定型サイズ選択部
１４    最適倍率記憶部
１５    一致判定部
１６    表示制御部
２０    画像形成装置
２１    入力部
２２    表示部
【図１】
2006078661.tif 000003
【図２】
2006078661.tif 000004
【図３】
2006078661.tif 000005
【図４】
2006078661.tif 000006
【図５】
2006078661.tif 000007
【図６】
2006078661.tif 000008
【図７】
2006078661.tif 000009
【図８】
2006078661.tif 000010
【図９】
2006078661.tif 000011
【図１０】
2006078661.tif 000012
【図１２】
2006078661.tif 000013
【図１３】
2006078661.tif 000014
【図１１】
2006078661.tif 000015